(57)【特許請求の範囲】
【請求項１】
コンクリートブロックを組積して耐震壁を構築する方法であって、
前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、
構築されるべき前記耐震壁の一方の面と他方の面とを夫々前記ブロック本体が構成する前記コンクリートブロックを、前記ブロック本体の前記突部側の面が互いに対向し、それらの間に、縦方向に連通する空間と、壁厚方向に並んで対をなす前記凹部が横方向に連続してなり、壁厚方向に並んで対をなし、夫々横方向に連通する空間とが形成されるように組積すると共に、前記縦方向に連通する空間に縦筋を、壁厚方向に並んで対をなす前記横方向に連通する空間の夫々に横筋を配筋した後、前記縦方向に連通する空間及び壁厚方向に並んで対をなす前記横方向に連通する空間の夫々にグラウト材を打設することを特徴とする耐震壁の構築方法。
【請求項２】
コンクリートブロックを組積して構築された耐震壁であって、
前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、
構築された前記耐震壁の一方の面と他方の面とを夫々前記ブロック本体が構成する前記コンクリートブロックが、前記ブロック本体の前記突部側の面が互いに対向し、それらの間に、縦方向に連通する空間と、壁厚方向に並んで対をなす前記凹部が横方向に連続してなり、壁厚方向に並んで対をなし、夫々横方向に連通する空間とが形成されるように組積され、
前記縦方向に連通する空間に縦筋が、壁厚方向に並んで対をなす前記横方向に連通する空間の夫々に横筋が配筋され、
前記縦方向に連通する空間及び壁厚方向に並んで対をなす前記横方向に連通する空間の夫々にグラウト材が打設されていることを特徴とする耐震壁。
【請求項３】
コンクリートブロックを組積して壁を耐震補強する方法であって、
前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、
既存壁面にアンカーを打ち込み、前記コンクリートブロックを、前記ブロック本体の前記突部側の面が前記既存壁面と対向し、それらの間に、縦方向に連通する空間と、前記凹部が横方向に連続してなり、横方向に連通する空間とが形成されるように組積すると共に、前記縦方向に連通する空間に縦筋を、前記横方向に連通する空間に横筋を配筋した後、前記縦方向に連通する空間及び前記横方向に連通する空間にグラウト材を打設することを特徴とする壁の耐震補強方法。
【請求項４】
コンクリートブロックを組積して補強した壁の耐震補強構造であって、
前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、
既存壁面にアンカーが打ち込まれ、
前記コンクリートブロックが、前記ブロック本体の前記突部側の面が前記既存壁面と対向し、それらの間に、縦方向に連通する空間と、前記凹部が横方向に連続してなり、横方向に連通する空間とが形成されるように組積され、
前記縦方向に連通する空間に縦筋が、前記横方向に連通する空間に横筋が配筋され、
前記縦方向に連通する空間及び前記横方向に連通する空間にグラウト材が打設されていることを特徴とする壁の耐震補強構造。
【発明の詳細な説明】
【０００１】
【発明の属する技術分野】
本発明は、壁を増設したり既存の壁面を補強するために用いられるコンクリートブロック、このコンクリートブロックを用いた壁の構築方法及び補強方法に関する。
【０００２】
【従来の技術】
従来、壁の構築や既存壁の補強に用いられるコンクリートブロックとして、例えば特開平１１−１３２９１号公報には、中実の直方体状をなし左右端部側に縦筋が収納される第１凹部と、下端部に横筋が収納される第２凹部とが設けられたコンクリートブロックが開示されている。
【０００３】
このコンクリートブロックを用いて壁を構築する場合には、複数のコンクリートブロックをそれらの左右端部が互いに当接するように横方向に配設するとともに、第１凹部で形成される空間に縦筋と、第２凹部に横筋とをそれぞれ配筋しつつそれら凹部にグラウト材を充填して上方に組積することによって壁を形成する。
【０００４】
また、前記コンクリートブロックを用いて既存壁を補強する場合には、既存壁と適宜間隔を隔てた位置に、上記の方法でコンクリートブロックを組積し、既存壁とコンクリートブロックとの間にグラウト材を打設して既存壁を補強していた。
【０００５】
【発明が解決しようとする課題】
しかしながら、かかる従来の壁の構築方法にあっては、構築される壁の厚さはブロックの厚さに限定されてしまう。また、コンクリートブロックを用いて壁を補強する場合でも、高価なグラウト材の使用量を少なくするために既存壁とコンクリートブロックとの間隔を狭くすると、前記壁を構築する場合と同様に、補強された壁厚はブロックの厚さに分だけ厚さが増してしまう。したがって、異なる厚さの壁を構築したり、補強した壁を所望の厚さに仕上げたい場合には、厚さの異なる多種類のコンクリートブロックを用意しておく必要があり、コスト高になってしまうという課題があった。
【０００６】
また、従来の補強方法において組積したコンクリートブロックと既存壁との間にグラウト材を打設することは容易ではなく、グラウト材が十分に打設されていない場合には既存壁へのコンクリートブロックの付着を確保できず、十分な強度を備えた補強ができないという課題があった。
【０００７】
そこで、本発明はかかる従来の課題に鑑みて、１種類のコンクリートブロックで種々の壁厚を有する壁を構築するとが可能なコンクリートブロック、このコンクリートブロックを用いた壁の構築方法及び補強方法を提供することを目的とする。
【００１１】
請求項１の耐震壁の構築方法は、コンクリートブロックを組積して耐震壁を構築する方法であって、前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、構築されるべき前記耐震壁の一方の面と他方の面とを夫々前記ブロック本体が構成する前記コンクリートブロックを、前記ブロック本体の前記突部側の面が互いに対向し、それらの間に、縦方向に連通する空間と、壁厚方向に並んで対をなす前記凹部が横方向に連続してなり、壁厚方向に並んで対をなし、夫々横方向に連通する空間とが形成されるように組積すると共に、前記縦方向に連通する空間に縦筋を、壁厚方向に並んで対をなす前記横方向に連通する空間の夫々に横筋を配筋した後、前記縦方向に連通する空間及び壁厚方向に並んで対をなす前記横方向に連通する空間の夫々にグラウト材を打設することを特徴とする。
また、請求項２の耐震壁は、コンクリートブロックを組積して構築された耐震壁であって、前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、構築された前記耐震壁の一方の面と他方の面とを夫々前記ブロック本体が構成する前記コンクリートブロックが、前記ブロック本体の前記突部側の面が互いに対向し、それらの間に、縦方向に連通する空間と、壁厚方向に並んで対をなす前記凹部が横方向に連続してなり、壁厚方向に並んで対をなし、夫々横方向に連通する空間とが形成されるように組積され、前記縦方向に連通する空間に縦筋が、壁厚方向に並んで対をなす前記横方向に連通する空間の夫々に横筋が配筋され、前記縦方向に連通する空間及び壁厚方向に並んで対をなす前記横方向に連通する空間の夫々にグラウト材が打設されていることを特徴とする。
【００１２】
この耐震壁の構築方法及び耐震壁によれば、構築されるべき耐震壁の一方の面と他方の面をブロック本体が夫々構成するコンクリートブロック同士の間隔を適宜設定することによって、所望の壁厚の耐震壁を構築することができる。また、組積されたコンクリートブロック間にはそれらの突部が突出しているので、そのコンクリートブロック間にグラウト材を打設することによって、コンクリートブロック同士を容易に付着させ、それらコンクリートブロックを一体として高い強度を備えた耐震壁を構築することができる。
【００１３】
請求項３の壁の耐震補強方法は、コンクリートブロックを組積して壁を耐震補強する方法であって、前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、既存壁面にアンカーを打ち込み、前記コンクリートブロックを、前記ブロック本体の前記突部側の面が前記既存壁面と対向し、それらの間に、縦方向に連通する空間と、前記凹部が横方向に連続してなり、横方向に連通する空間とが形成されるように組積すると共に、前記縦方向に連通する空間に縦筋を、前記横方向に連通する空間に横筋を配筋した後、前記縦方向に連通する空間及び前記横方向に連通する空間にグラウト材を打設することを特徴とする。
また、請求項４の壁の耐震補強構造は、コンクリートブロックを組積して補強した壁の耐震補強構造であって、前記コンクリートブロックは、ブロック本体と、該ブロック本体の一面から突出する突部とを備え、前記ブロック本体が前記突部の片側のみに設けられ、前記突部の下側には該突部を挟む両側の空間を連通させる凹部が形成されており、既存壁面にアンカーが打ち込まれ、前記コンクリートブロックが、前記ブロック本体の前記突部側の面が前記既存壁面と対向し、それらの間に、縦方向に連通する空間と、前記凹部が横方向に連続してなり、横方向に連通する空間とが形成されるように組積され、前記縦方向に連通する空間に縦筋が、前記横方向に連通する空間に横筋が配筋され、前記縦方向に連通する空間及び前記横方向に連通する空間にグラウト材が打設されていることを特徴とする。
【００１４】
この壁の耐震補強方法及び耐震補強構造によれば、既存壁に打ち込まれたアンカーをコンクリートブロックの突部の間に入り込ませ、その既存壁とコンクリートブロックとの間にグラウト材を打設できるので、既存壁へのコンクリートブロックの付着を確保することができ、十分な強度の補強を施すことができる。
【００１５】
【発明の実施の形態】
以下、本発明の実施形態を添付図面を参照して詳細に説明する。図１から図３は本発明のコンクリートブロックの第１実施形態を示し、図１はコンクリートブロックの平面図、図２は同背面図、図３は同側面図である。
【００１６】
図１〜３に示すようにコンクリートブロック（以下、ブロックという）１０は、ブロック本体１２と、その背面側に突設された突部１４とで構成されている。
【００１７】
ブロック本体１２は平坦な前面１２ａを備えた板状をなし、図４に示すように、このブロック１０を組積して壁を構成したときにこの前面１２ａが壁面を構成する。以下の記載では、図４に示す組積状態に基づいて上下左右の方向を示す。
【００１８】
突部１４の上部はブロック本体１２と同じ高さの平坦面を形成し、下部には円弧状の凹部１６が設けられている。この突部１４は、左右方向に間隔を隔てて設けられ、それらの間に中央空間１８が形成されている。また、突部１４はブロック本体１２の左右の縁部１２ｂより内側に配設されており、このブロック１０を横方向に連ねて並べたときには、隣接するブロック１０同士の一方の突部１４との間に共有空間２０が形成される。共有空間２０および前記中央空間１８の幅は突部１４の幅より十分に広く形成されている。
【００１９】
このブロック１０を用いて壁を構築する場合には、図４に示すように各ブロック１０の前面１２ａが一平面をなすように、ブロック１０の左右の縁部１２ｂを互いに当接させて横方向に並べ１段目のブロック列１０ａを配置し、その上に前記突部１４の幅の約半分だけ横方向にずらして２段目のブロック列１０ｂを載置する。さらに３段目のブロック列１０ｃは、１段目のブロック列１０ａと横方向の位置を合わせて、２段目のブロック列１０ｂの上に載置し、一壁面をなすブロック壁材２４を構築する。このように、ブロック列１０ａ，１０ｂ，１０ｃの位置を交互にずらすことによって、その背面側には上下方向に連通した中央空間１８および共有空間２０が形成される。このとき、横方向に並べられた各ブロック１０の前後方向の位置も一致しているため、ブロック列１０ａ，１０ｂ，１０ｃの云々には前記凹部１６によって左右方向に連通する空間も形成されている。なお、前記凹部１６に代えて穴部を設けることにより、同様の空間を形成させてもよい。
【００２０】
前記ブロック壁材２４の背面側にも同様のブロック壁材２４を、これらブロック壁材２４のなす壁面２４ａが平行をなし、背面側が対向するように構築する。このとき、図５に示すように一方のブロック壁材２４の中央空間１８および共有空間２０に、他方のブロック壁材２４の突部１４を入り込ませることによって、形成される壁の厚さを薄くすることができ、また、図６に示すようにそれら突部１４同士を対向させることによって、厚い壁を構築することも可能である。
【００２１】
即ち、このブロック１０を用いて構築される壁の厚さは、ブロック１０の奥行き寸法によって決定されず、表裏壁面をなすブロック壁材２４の間隔を適宜に設定することによって、その厚さを自由に変更することができる。このため、多種の壁厚に対応させてそれぞれブロック１０を備えておく必要はなく同一寸法のブロック１０を用意しておけばよいので、コストの低減を図ることができる。
【００２２】
このように背面側を対向させた２つのブロック壁材２４間には、上下方向に連通する中央空間１８と共有空間２０とが形成され、さらに左右方向に連通する空間２２も形成されているので、これら空間１８，２０，２２内に鉄筋２６を縦横に配筋した後、ブロック壁材２４間にグラウト材を打設する。打設したグラウト材が硬化することによって、対向するブロック壁材２４間のみならず、左右方向にずらして配置した上下のブロック列１０ａ，１０ｂ，１０ｃ同士をも鉄筋２６とともに一体に固着し、高い強度と剛性を備えた壁が構築され、耐震壁として適用することができる。
【００２３】
また、ブロック１０の突部１４はブロック本体１２の補強材としても機能するので、ブロック本体１２は従来のブロックより薄く形成されていても、グラウト材を打設したときに作用する圧力に十分耐えうる強度を備えており、変形を防止することができる。
【００２４】
前記ブロック１０を用いて既存の壁を補強する場合には、図７に示すように既存壁２８の外側面の適宜位置に複数のアンカー３０を打ち込み、その既存壁２８面とブロック１０の背面側とが対向するようにブロック１０を組積し、かつアンカー３０がブロック１０の突部１４間に入り込むようにブロック壁材２４を前記組積方法によって構築する。このときにも前記壁を構築する際と同様に上下方向に連通する中央空間１８および共有空間２０と、左右方向に連通する空間２２とに鉄筋２６を配筋し、既存壁２８とブロック壁材２４との間にグラウト材を打設する。このグラウト材が硬化することにより、既存壁２８とブロック壁材２４とが一体に固着し既存壁２８が補強される。特に、既存壁２８に打ち込んだアンカー３０がブロック１０の突部１４間に入り込んで固着されるため、既存壁２８とブロック壁材２４との付着が確保され、高強度に補強することができる。このため、既存壁２８を耐震壁として機能させることが可能となる。
【００２５】
【発明の効果】
以上説明したように本発明の請求項１に示すコンクリートブロックにあっては、コンクリートブロックの突部側を互いに対向させたり、既存壁側に対向させて配置することができるので、それらの間にグラウト材を打設することによって、両コンクリートブロック間の付着を確保することができる。
また、対向させるコンクリートブロックの間隔を適宜設定することによって任意の壁厚に対応させることができ、コンクリートブロックの寸法を統一することでコストを低減させることができる。
【００２６】
また、本発明の請求項２では、コンクリートブロックの背面側に縦横に連通する空間が設けられるため、構築する壁内部に鉄筋を配筋して十分な強度を備えた鉄筋コンクリート壁を構築することができる。
【００２７】
請求項３では、壁の両面を構成するコンクリートブロックの突部側の面を対向させて組積するので、所望の壁厚の壁を構築することができる。また、突部が突出しているコンクリートブロック間にグラウト材を打設するので、コンクリートブロック同士を容易に付着させ、一体となって高い強度を備えた壁を構築することができる。
【００２８】
請求項４では、既存壁に打ち込まれたアンカーがコンクリートブロックの突部の間に入り込みグラウト材で固着されるので、既存壁へのコンクリートブロックの付着を確保することができ、十分な強度を備えた補強が実現できる。
【図面の簡単な説明】
【図１】本発明の一実施形態を示すコンクリートブロックの平面図である。
【図２】図１の背面図である。
【図３】図２の側面図である。
【図４】本発明のコンクリートブロックを組積した状態を示す斜視図である。
【図５】本発明のコンクリートブロックを用いた壁の構築方法の一実施形態を示す構成図であり、（ａ）は平面図（ｂ）は側面図である。
【図６】本発明のコンクリートブロックを用いた壁の構築方法の変形例を示す構成図であり、（ａ）は平面図（ｂ）は側面図である。
【図７】本発明のコンクリートブロックを用いた壁の補強方法の一実施形態を示す構成図であり、（ａ）は平面図（ｂ）は側面図である。
【符号の説明】
１０  コンクリートブロック
１０ａ，１０ｂ，１０ｃ  ブロック列
１２  ブロック本体
１４  突部
１６  凹部
１８  中央空間
２０  共有空間
２４  ブロック壁材
２６  鉄筋
２８  既存壁
３０  アンカー
【図１】
0004899267.tif 000002
【図２】
0004899267.tif 000003
【図３】
0004899267.tif 000004
【図４】
0004899267.tif 000005
【図５】
0004899267.tif 000006
【図６】
0004899267.tif 000007
【図７】
0004899267.tif 000008